(57)【要約】【課題】  本発明は、照光ムラを無くすると共に照光効率が良くすることができ、更に組立性に優れた照光付きスライド型の電気部品を提供すること。【解決手段】  本発明に係わる移動体９には、この移動体９を介して操作部材６を照光可能な照光部材１１を配設すると共に照光部材１１の電極部（図示せず）に電気的に接続可能な第１可動接点１２を一体形成した基台１０が保持され、この基台１０と対向する側には、第１可動接点１２に電気的に接続して照光部材１１に給電可能な給電パターン１５ａを形成した固定部材１５が配設されている。【選択図】        図２
2006156104.tif 000002
【特許請求の範囲】
【請求項１】
移動可能に保持されると共に光が透過可能な移動体と、この移動体を移動操作可能で前記移動体を透過した光によって照光可能な操作部材とを備え、前記移動体には、前記移動体を介して前記操作部材を照光可能な照光部材を配設すると共に前記照光部材の電極部に電気的に接続可能な可動接点を一体形成した基台が保持され、前記基台と対向する側には、前記可動接点に電気的に接続して前記照光部材に給電可能な給電パターンを形成した固定部材が配設されていることを特徴とする照光付き電気部品。
【請求項２】
前記可動接点は、金属板を折り曲げ形成して前記給電パターンに摺接可能な摺動子片からなり、前記摺動子片は、前記照光部材の電極部が接続可能な接続部を形成した基部と、前記給電パターンに摺接可能な接点部とが形成されていることを特徴とする請求項１記載の照光付き電気部品。
【請求項３】
前記摺動子片は、前記基部の一部を前記基台に埋設すると共に前記基台から露出する部分の前記基部を前記接続部としたことを特徴とする請求項２記載の照光付き電気部品。
【請求項４】
前記移動体と前記基台とは、異なる材質で形成されていることを特徴とする請求項１乃至３のいずれかに記載の照光付き電気部品。
【請求項５】
前記基台は、前記移動体にスナップ係止されて抜け止めされていることを特徴とする請求項１乃至４のいずれかに記載の照光付き電気部品。
【請求項６】
前記摺動子片は、前記照光部材の前記電極部の陽極側と陰極側とに接続される互いに絶縁された一対の摺動子片によって形成され、この一対の前記摺動子片は、１枚の金属板で一体形成して前記基台に埋設後に前記一対の摺動子片を接続する切断部を切断して形成したことを特徴とする請求項２乃至５のいずれかに記載の照光付き電気部品。
【請求項７】
前記基台には、埋設後の前記摺動子片の前記切断部を切断可能な切断孔が形成されていることを特徴とする請求項６記載の照光付き電気部品。
【発明の詳細な説明】
【技術分野】
【０００１】
本発明は、照光付き電気部品に係わり、照光部材の光を導光して操作部材を照光可能な照光付き電気部品に関する。
【背景技術】
【０００２】
従来、車両等に用いられる照光付き電気部品として、特許文献１および特許文献２の構成が公知である。
まず、特許文献１を図５、図６で説明すると、上部ケース２００と下部ケース２１０とが配設され、下部ケース２１０の中仕切板２１１には、ターミナル２１２が固定されると共に、光源２２０が取り付けられている。
【０００３】
また、上部ケース２００の内部には、上部ケース２００および下部ケース２１０と別体のインナーケース２３０が配設され、このインナーケース２３０下部に回路基板２４０が配設され、この回路基板２４０には、光源２２０の光が通過可能な透孔２４１が形成されている。
また、上部ケース２００の内部でインナーケース２３０と回路基板２４０との間には、４方向用のスイッチのスライダ２５０が配設されて、４方向にスライド可能になっている。また、上部ケース２００と下部ケース２１０およびインナーケース２３０に支持されて、４方向に傾倒可能な４方向用スイッチのアクチュエータ２６０が配設されている。
【０００４】
前記アクチュエータ２６０は、下部側に形成した係合部２６１が回路基板２４０の透孔２４１を介して１個の光源２２０と対向する用に配設されている。また、アクチュエータ２６０には、上方に延びる軸部２６２が突設され、この軸部２６２の上端部側が上部ケース２００から上方に突き抜けており、軸部２６２の上端部に４方向用のスイッチ切換ノブ２８０が固着されている。
また、上部ケース２００内部には、４方向用スイッチの自動復帰用のスプリング２９０が配設され、このスプリング２９０でアクチュエータ２６０が上方に弾性付勢されている。
【０００５】
また、上方ケース２００の内部で、図５に示すインナーケース２３０の右側には、２方向用スイッチのスライダ３００が配設され、この２方向用のスライダ３００は、上部ケース２００と回路基板２４０の上面との間に直線方向にスライド可能となっている。
前記スライダ３００には、上方に延びる操作棒３０１が突設されている。この２方向用のスライダ３００の下面には、底側が開口した中空状の円筒形に形成された４本の収納部３０２が形成され
【０００６】
前記２方向用のスライダ３００は、２方向スイッチの一部品を構成すると共に、１個の光源２２０からの光を導光体３１０を介して２方向用の切換ノブ３２０のマーク３２１まで透過する透過体ともなっている。また、２方向用のスライダ３００の下面が回路基板２４０の透孔２４１を介して導光体３１０と対向している。
前記２方向の切換ノブ３２０は、光透過性の合成樹脂からなり、略Ｌ字状をなして、２方向用のスライダ３００の操作棒３０１の上端に嵌合固定されている。
そして、１個の光源２２０からの光で光透過性の合成樹脂からな導光体３１０により導かれた光が透過体としての２方向用のスライダ３００を透過して上方のマーク３２１が照光するようになっている。
【０００７】
また、２方向用のスライダ３００の一側面には、ボール３５０がスプリング３６０を圧縮した状態で収納されて、ボール３５０が上部ケース２００の内面に弾接している。前記ボール３５０が弾接する上部ケース２００の内面には、ボール３５０が係脱可能な切換溝（図示せず）が形成されて２方向用スイッチの切換機構となっている。
前記２方向用スイッチの切換機構は、切換ノブ３２０をスライド操作することによりスライダ３００がスライドし、ボール３５０が溝に係脱して、中立位置および第１位置および第２位置に切り換え可能になっている。
また、ボール３５０が溝を係脱することで、スライダ３００を介して切換ノブ３２０にクリック感が伝達されるようになっている。
【０００８】
また、２方向用のスライダ３００の下面には、２方向用スイッチのコンタクト３７０が配設され、この２方向用スイッチのコンタクト３７０は、スライダ３００の下面に形成した収納部３０２に収納される４本のコイルバネ３７１と２枚のプレートコンタクト３７２と４個の接点ボール３７３とからなり、接点ボール３７３がコイルバネ３７１に弾性付勢されてプレートコンタクト３７２を介して回路基板２４０上を摺動可能になっている。
また、導光体３１０は、下部ケース２１０の中仕切板２１１の上面と回路基板２４０の下面との間に収納されており、水平な導光部３１１と、光源２２０と対向する受光面３１２と、導光部３１１の端部の設けられ回路基板２４０の透孔２４２に嵌合してスライダ３００の下面と対向する投光部３１３とからなっている。
【０００９】
このような構成の従来の照光付き電気部品の操作を説明すると、まず、２方向用スイッチの操作において、中立位置にある２方向の切換ノブ３２０を図６に示す矢印Ａ方向、またはＢ方向にスライドさせると、スライダ３００が第１位置または第２位置に位置する。
【００１０】
その際、受光面３１２から導光体３１０に侵入した光源２２０の光は、導光部３１１を経て投光部３１３に達して、２方向のスライダ３００の内部を透過して２方向用の切換ノブ３２０を経て２方向用のマーク３２１を照光させる。
前記投光部３１３は、矢印Ａ方向およびＢ方向にスライドする２方向用の切換ノブ３２０のスライド方向に横長状に形成されており、矢印Ａ方向およびＢ方向にスライドする２方向用の切換ノブ３２０のマーク３２１を常時照光するようになっている。尚、４方向用のスイッチにおいては、点灯した１個の光源２２０の光が回路基板の第１透孔２４１を通過してアクチュエータ２６の内部を透過して４方向の切換ノブ２８０を経て、４方向のマーク２８１を照光させる。
【特許文献１】特開平９−１０２２３４号公報
【発明の開示】
【発明が解決しようとする課題】
【００１１】
しかし、前述したような従来の照光付き電気部品は、２方向用スライダ３００のスライドの区間全域にわたって照光を行うので、余分なところまで照光する必要があり、光源２２０の照光効率が悪くなると共に、切換ノブ３２０がスライドすると光源２２０からの距離が変化して照光ムラが発生する問題があった。
また、２方向用スイッチのコンタクト３７０は、スライダ３００の下面に形成した収納部３０２に、４本のコイルバネ３７１と２枚のプレートコンタクト３７２と４個の接点ボール３７３とをバラバラの状態で収納していたので組立性が悪かった。
本発明は前述のような課題を解決して、照光ムラを無くすると共に照光効率が良くて、更に組立性に優れた照光付きスライド型の電気部品を提供することを目的とする。
【課題を解決するための手段】
【００１２】
前記課題を解決するための第１の手段として本発明の照光付きスライド型の電気部品は、移動可能に保持されると共に光が透過可能な移動体と、この移動体を移動操作可能で前記移動体を透過した光によって照光可能な操作部材とを備え、前記移動体には、前記移動体を介して前記操作部材を照光可能な照光部材を配設すると共に前記照光部材の電極部に電気的に接続可能な可動接点を一体形成した基台が保持され、前記基台と対向する側には、前記可動接点に電気的に接続して前記照光部材に給電可能な給電パターンを形成した固定部材が配設されていることを特徴とする。
また、前記課題を解決するための第２の手段として、前記可動接点は、金属板を折り曲げ形成して前記給電パターンに摺接可能な摺動子片からなり、前記摺動子片は、前記照光部材の電極部が接続可能な接続部を形成した基部と、前記給電パターンに摺接可能な接点部とが形成されていることを特徴とする。
【００１３】
また、前記課題を解決するための第３の手段として、前記摺動子片は、前記基部の一部を前記基台に埋設すると共に前記基台から露出する部分の前記基部を前記接続部としたことを特徴とする。
また、前記課題を解決するための第４の手段として、前記移動体と前記基台とは、異なる材質で形成されていることを特徴とする。
【００１４】
また、前記課題を解決するための第５の手段として、前記基台は、前記移動体にスナップ係止されて抜け止めされていることを特徴とする。
また、前記課題を解決するための第６の手段として、前記摺動子片は、前記照光部材の前記電極部の陽極側と陰極側とに接続される互いに絶縁された一対の摺動子片によって形成され、この一対の前記摺動子片は、１枚の金属板で一体形成して前記基台に埋設後に前記一対の摺動子片を接続する切断部を切断して形成したことを特徴とする。
【００１５】
また、前記課題を解決するための第７の手段として、前記基台には、埋設後の前記摺動子片の前記切断部を切断可能な切断孔が形成されていることを特徴とする。
【発明の効果】
【００１６】
本発明の照光付き電気部品の移動体には、移動体を介して操作部材を照光可能な照光部材を配設すると共に照光部材の電極部に電気的に接続可能な可動接点を一体形成した基台が保持され、基台と対向する側には、可動接点に電気的に接続して照光部材に給電可能な給電パターンを形成した固定部材が配設されているので、移動体と共に照光部材を搭載した基台も移動するので、操作部材を効率よく照光でき、周囲が暗くても操作部材を明るく点灯することができ操作性が良い。
【００１７】
また、可動接点は、金属板を折り曲げ形成して給電パターンに摺接可能な摺動子片からなり、前記摺動子片は、照光部材の電極部が接続可能な接続部を形成した基部と、給電パターンに摺接可能な接点部とが形成されているので、プレス等で高精度に打ち抜き加工することができ加工性に優れている。
【００１８】
また、摺動子片は、基部の一部を基台に埋設すると共に基台から露出する部分の基部を接続部としたので、照光部材を表面実装等で摺動子片に確実に接続できる。また、摺動子片を基部に容易に保持することができる。
【００１９】
また、移動体と基台とは、異なる材質で形成されているので、摺動性に優れた材質を移動体に用い、保持強度に優れた材質を基台を用いることで、操作性に優れていると共に機械的強度に優れた照光付き電気部品を提供できる。
【００２０】
また、基台は、移動体にスナップ係止されて抜け止めされているので、組立が容易である。
【００２１】
また、摺動子片は、照光部材の電極部の陽極側と陰極側とに接続される互いに絶縁された一対の摺動子片によって形成され、この一対の前記摺動子片は、１枚の金属板で一体形成して基台に埋設後に一対の摺動子片を接続する切断部を切断して形成したので、基台と摺動子片とが一体化されており、組立時の取り扱いが容易となり更に項見立て性に優れている。
【００２２】
また、基台には、埋設後の摺動子片の切断部を切断可能な切断孔が形成されているので、切断部を切断孔から切断して一対の摺動子片を確実に絶縁することができる。
【発明を実施するための最良の形態】
【００２３】
本発明は、車両等に用いられるドアミラースイッチ等の照光付き電気部品の一実施の形態を図面に基づいて説明する。図１は本発明に関する照光付き電気部品の平面図であり、図２は図１の２−２断面図であり、図３は本発明に係わる基台の斜視図であり、図４は本発明に係わる基台の製造方法を説明する平面図である。
【００２４】
まず、本発明の照光付き電気部品１は、図１に示すように、外周部が樹脂材料等からなる上ケース２で囲まれており、この上ケース２の図示下部側には、４方向用スイッチ３が配設され、この４方向用スイッチ３は、外形が略矩形状で材質がアクリル等の光透過性の樹脂材料からなる切換ノブ４を有し、この切換ノブ４の表面に、例えば操作方向を示すマーク４ａが上下左右の４箇所に形成されている。前記マーク４ａ以外の部分は、不透明な塗料が塗布されて、図示を省略した光源からの光によってマーク４ａが照光するようになっている。
そして、例えばマーク４ａが形成された部分の切換ノブ４を押圧操作することにより、４方向用スイッチ回路を切り換え可能になっている。
【００２５】
また、図１に示す上ケース２の上部側には、２方向用スイッチ５が配設され、この２方向用スイッチ５は、外形が略楕円形状で材質がアクリル等の光透過性の樹脂材料からなる操作部材６を有し、この操作部材６は矢印Ｃの図示左方向および矢印Ｄの右方向にスライド操作することにより２方向用スイッチ回路が切り換え可能になっている。
前記操作部材６の表面には、例えばＬ、Ｒの２個の表示マーク６ａ、６ａが形成され、該表示マーク６ａ、６ａ以外の部分は、不透明な塗料が塗布され、後述する照光部材１１から出射された光によって、操作部材６が照光されて表示マーク６ａ、６ａが浮かび上がるようになっている。
また、操作部材６の図示左側の上ケース２には、サイドミラーを収納位置、若しくは使用位置に位置させるサイドミラーの収納状態と使用状態をデザイン化して表示した操作スイッチ７が形成されている。
尚、左右いずれのサイドミラーを操作するかを２方向用スイッチ５で指定し、操作スイッチ７でサイドミラーの収納または使用を指定する、あるいは４方向用スイッチ３で角度を調整するようになっている。
【００２６】
前記２方向用スイッチ５は、図２に示すように、操作部材６の下面側に形成した導光体保持部６ｂに導光体８の先端部が保持されている。
前記導光体８は、形状が角柱状で材質がアクリル等の光透過性の樹脂材料からなり、図２において上部側の先端部８ａが操作部材６の導光体保持部６ｂに保持されると共に、下部側の幅広部８ｂが移動体９の嵌合溝９ａに嵌合支持されている。また、導光体８は、下端部に円弧状の入射部８ｃが形成され、この入射部８ｃに後述する照光部材ｘの光が照射されると、導光体８内部に効率よく入射させることができるようになっている。
【００２７】
前記移動体９は、ポリアセタール等の合成樹脂からなり、嵌合溝９ａの下部に連設されて光源挿入部９ｂが形成され、この光源挿入部９ｂに後述する照光部材ｘが位置するようになっている。
また、移動体９の嵌合溝９ａを挟んで互いに対向する第１側壁９ｃには、操作部材６に形成したスナップ脚（図示せず）がスナップ係合可能な係合孔９ｄが形成され、この係合孔９ｄにスナップ脚をスナップ係合させることで、操作部材６と移動体９とが一体化され、操作部材６の矢印Ｃ方向およびＤ方向への操作で移動体９も同方向に移動するようになっている。
【００２８】
また、図２に示す移動体９の下部側には、所定の隙間を挟んで互いに対向する一対の第２側壁９ｅが形成され、この第２側壁９ｅに第２係合孔９ｆが形成されている。
また、互いに対向する一対の第２側壁９ｅに挟まれた隙間部分には、所定厚さの基台１０が配設されている。前記基台１０は、材質がガラス入りＰＢＴ等の合成樹脂からなり、図３、図４に示すように、角凹１０ａが形成されると共に、この角凹１０ａの図示奥側に３個の切断孔１０ｂが形成されている。
【００２９】
また、移動体９には、上ケース２の内面に弾性付勢するボール（図示せず）が内挿されて、このボールによって、移動体９を中立位置と、矢印Ｃ方向にスライド移動させた第１の位置と、矢印Ｄ方向にスライド移動させた第２の位置の３つのポジションでクリック感が得られるようになっている。
【００３０】
また、基台１０には、図３、図４に示すように、角凹１０ａが形成されると共に、この角凹１０ａの図示奥側に３個の切断孔１０ｂが形成されている。また、移動体９には、上ケース２の内面に弾性付勢するボール（図示せず）が内挿されて、このボールによって、移動体９を中立位置と、矢印Ｃ方向にスライド移動させた第１の位置と、矢印Ｄ方向にスライド移動させた第２の位置の３つのポジションでクリック感が得られるようになっている。
【００３１】
前記上ケース２の内面には、３つのポジションに対応したそれぞれの位置に、ボールが係合可能な凹部が形成れて、クリック感が発生するようになっている。
また、基台１０には、図示左右の側面から係合爪１０ｃが突出形成され、この係合爪１０ｃを移動体９の第２係合孔９ｆにスナップ係合することにより、移動体９と基台１０とが一体化されるようになっている。
また基台１０の角凹１０ａには、チップ状の発光ダイオード等からなる照光部材１１が位置決め可能になっており、角凹１０ａ周辺の基台１０には、一対の第１可動接点１２、１２の基部１２ａがインサート成形等で一部が埋設されて一体化されている。
【００３２】
前記第１可動接点１２は、弾性を有する金属板を折り曲げて、後述する給電パターンｘに摺接可能な摺動子片からなっている。
そして、第１可動接点１２は、基部１２ａが基台１０に埋設され、この基部１２ａの一部を角凹１０ａの底面から露出させた接続部１２ｂを有し、基台１０の図示奥側に基部１２ａを延出させてアーム部１２ｃが形成され、このアーム部１２ｃを基台１０の裏面側に折り曲げ、この折り曲げ先端部に後述する給電パターンｘに摺接可能な接点部１２ｄが形成されている。
【００３３】
前記一対の第１可動接点１２は、一方の接続部１２ｂに、角凹１０ａに位置決めした照光部材１１の陽極側の電極部（図示せず）が、また、他方の接続部１２ｂに、陰極側の電極部（図示せず）が、それぞれ半田等で電気的に接続可能になっている。即ち、第１可動接点１２を介して照光部材１１に通電することにより照光部材１１が点灯するようになっている。
また、基台１０には、一対の第１可動接点１２の外側で切断孔１０ｂ近傍には、第１可動接点１２と同材質で摺動子片からなる第２可動接点１３が埋設されて一体化されている。
【００３４】
前記第２可動接点１３は、基部１３ａが基台１０に埋設され、基台１０の図示奥側に基部１３ａを延出させてアーム部１３ｂが形成され、このアーム部１３ｂを第１可動接点１２と同様に基台１０の裏面側に折り曲げ、この折り曲げ先端部に後述する２方向用スイッチパターン１５ｂに摺接可能な接点部１３ｃが形成されている。
前記第２可動接点１３は、操作部材６の矢印Ｃ方向、または矢印Ｄ方向へのスライドに対応して、２方向用スイッチ５の回路が切り換えられるようになっている。
【００３５】
前記基台１０に埋設される第１、第２可動接点１２、１３は、１枚の金属板をプレス加工で打ち抜きして、図４に示すように切断部１４で繋がって一体形成され、基台１０にインサート等で埋設後に、切断孔１０ｂから切断部１４を切断して分離可能になっている。そのために、第１、第２回路接点１２、１３は、基台１０に埋設されて一体化されると共に、それぞれが絶縁されている。
また、基台１０と所定の隙間を有して対向する図示下方側には、プリント基板からなる固定部材１５が配設され、この固定部材１５の上面で第１可動接点１２が摺接する部分には、給電パターン１５ａが形成されて第１可動接点１２を介して照光部材１１に通電可能になっている。
【００３６】
また、固定部材１５の上面で、給電パターン１５ａの外側には、第２可動接点１３が摺接可能な２方向用スイッチパターン１５ｂが形成されている。
また、上ケース２の下部が開放されており、この開放部分に下ケース１６がスナップ係合、または圧入等で固着されて、上ケース２の開放された下部が密閉されている。また、下ケース１６によって、固定部材１５が上ケース２内部に固定されるようになっている。  
【００３７】
このような本発明の照光付き電気部品１の操作を説明すると、例えば車のエンジンを起動し、ヘッドライト等を点灯しているときは、照光部材１１は、第１可動接点１２を介して給電パターン１５ａから給電されて常時点灯した状態になっている。
そして、中立位置にある２方向用スイッチ５の操作部材６を、例えば表示マークＬ側の矢印Ｃ方向にスライド移動させると、２方向用スイッチ５の回路が切り換えられて第１の回路を構成する。
【００３８】
前記２方向用スイッチ５が第１の回路を構成した状態で、４方向用スイッチ３の切換ノブ４を傾倒操作すると、左側のサイドミラーの向きを所望の方向に操作可能になっている。
また、２方向用スイッチ５の操作部材６を、例えば表示マークＲ側の矢印Ｄ方向にスライド移動させると、２方向用スイッチ５の回路が切り換えられて第２の回路を構成する。
前記２方向用スイッチ５が第２の回路を構成した状態で、４方向用スイッチ３の切換ノブ４を傾倒操作すると、右側のサイドミラーの向きを所望の方向に操作可能になっている。
【００３９】
例えば、２方向用スイッチ５が第１の回路を構成した状態で、４方向用スイッチ３の切換ノブ４を上方に傾倒させると左側のサイドミラーが上側に傾倒し、４方向用スイッチ３の切換ノブ４を下方に傾倒させると、左側のサイドミラーが下側に傾倒し、切換ノブ４を左側に傾倒させると、左側のサイドミラーが左側に傾倒し、切換ノブ４を右側に傾倒させると、左側のサイドミラーが右側に傾倒するようになっている。
また、２方向用スイッチ５の操作部材６が中立位置にあるときは、４方向用スイッチ３の切換ノブ４をいずれの方向に傾倒操作しても、サイドミラーは傾倒しないので、誤操作するおそれがない。
尚、本実施の形態においては、チップ状の照光部材１１を、基台１０に載置し第１可動接点１２に該照光部材１１の電極部を接続し、これを移動体９に取り付ければよいので、照光部材１１に熱的なダメージを殆ど与えず、また簡単に作業を行うことができる。
【００４０】
また、本発明の実施の形態では、移動体９をスライド移動するもので説明したが、移動体９を上ケース２に回動可能に支持して、操作部材６を回動操作するようにしたものでも良い。
また、第１可動接点１２を１枚の金属板を打ち抜いた摺動子片で説明したが、
アーム部１２ｃを基部１２ａと別部材で形成し、基部１２ａに半田付けしても良い。また、埋設せずに、カシメ等の方法で基台１０に取り付けても良い。
また、本発明の照光付き電気部品を車のサイドミラーを操作するもので説明したが、車以外のもに使用しても良い。
【図面の簡単な説明】
【００４１】
【図１】本発明に関する照光付き電気部品の平面図である。
【図２】図１の２−２断面図である。
【図３】本発明に係わる基台の斜視図である。
【図４】本発明に係わる基台の製造方法を説明する平面図である。
【図５】従来の照光付き電気部品の要部断面図ある。
【図６】従来の照光付き電気部品の分解斜視図である。
【符号の説明】
【００４２】
１  本発明の照光付き電気部品
２  上ケース
３  ４方向用スイッチ  
４  切換ノブ
５  ２方向用スイッチ
６  操作部材
８  導光体
９  移動体
９ｄ  第１係合孔
９ｆ  第２係合孔
１０  基台
１０ａ  角凹
１０ｂ  切断孔
１０ｃ  係合爪
１１  照光部材
１２  第１可動接点（可動接点）
１２ａ  基部
１２ｂ  接続部
１２ｃ  アーム部
１２ｄ  接点部
１３  第２可動接点
１３ａ  基部
１３ｂ  アーム部
１３ｃ  接点部
１４  切断部
１５  固定部材
１５ａ  給電パターン
１５ｂ  ２方向用スイッチパターン
１６  下ケース
【図１】
2006156104.tif 000003
【図２】
2006156104.tif 000004
【図３】
2006156104.tif 000005
【図４】
2006156104.tif 000006
【図５】
2006156104.tif 000007
【図６】
2006156104.tif 000008